(57)【要約】【課題】脚部構造の外観を良好にすることのできるカバー部材、脚部材、及び脚部構造を提供する。【解決手段】カバー部材１３は、基台７１上の設置物に接続される脚部プレート１２に取り付けられる。カバー部材１３は、脚部プレート１２の側面を覆う本体部２１と、本体部２１に設けられ、脚部プレート１２の下面よりも下方に突出する突出部３１と、脚部プレート１２に取り付けるための取付部４１とを有する。本体部２１は、脚部プレート１２の側面１２ｂと対向する位置で離間する離間壁部２１ａを備える。脚部プレート１２の側面１２ｂと離間壁部２１ａとの間の間隙Ｇは、脚部プレート１２の下面側に開口する。カバー部材１３は、脚部プレート１２と基台７１とを接着する接着剤１６を間隙Ｇに配置して用いられる。【選択図】図５
2019148329.tif 000002
【特許請求の範囲】
【請求項１】
基台上の設置物に接続される脚部プレートに取り付けられるカバー部材であって、
前記脚部プレートの側面を覆う本体部と、
前記本体部に設けられ、前記脚部プレートの下面よりも下方に突出する突出部と、
前記脚部プレートに取り付けるための取付部と、を有し、
前記本体部は、
前記脚部プレートの側面と対向する位置で離間する離間壁部を備え、
前記脚部プレートの側面と前記離間壁部との間の間隙は、前記脚部プレートの下面側に開口し、
前記脚部プレートと前記基台とを接着する接着剤を前記間隙に配置して用いられるカバー部材。
【請求項２】
前記突出部は、前記基台に接触する下端を有する請求項１に記載のカバー部材。
【請求項３】
前記取付部は、
前記本体部に設けられ、前記脚部プレートの上面に取り付けられる上面取付部と、
前記本体部の一部であるとともに前記脚部プレートの側面に取り付けられる側面取付部と、
前記突出部の一部であるとともに前記脚部プレートの下面に取り付けられる下面取付部と、を有する請求項１又は請求項２に記載のカバー部材。
【請求項４】
請求項１から請求項３のいずれか一項に記載のカバー部材と、
前記カバー部材が取り付けられる前記脚部プレートと、を備える脚部材。
【請求項５】
請求項１から請求項３のいずれか一項に記載のカバー部材と、
前記脚部プレートと、
前記接着剤と、を備え、
前記接着剤が前記間隙に配置された構造を有する脚部構造。
【請求項６】
前記脚部プレートの下面に重なるように配置され、前記脚部プレートの中央側への接着剤の流動を抑える壁部材をさらに備える請求項５に記載の脚部構造。
【請求項７】
前記脚部プレートの下面に重なるように配置される緩衝部材をさらに備える請求項５又は請求項６に記載の脚部構造。
【請求項８】
前記緩衝部材は、自己粘着性を有するゲル状材料から構成される請求項７に記載の脚部構造。
【発明の詳細な説明】
【技術分野】
【０００１】
本発明は、基台上の設置物における脚部プレートに適用されるカバー部材、脚部材、及び脚部構造に関する。
【背景技術】
【０００２】
特許文献１に開示されるように、床面上に弾性パッドを設置し、弾性パッドを加圧する加圧部材を有する設備機器を設置する免震構造が知られている。特許文献１の免震構造は、加圧部材に取り外し可能に設けられるカバー部材を備えている。
【先行技術文献】
【特許文献】
【０００３】
【特許文献１】特開２０１５−１３７７２８号公報
【発明の概要】
【発明が解決しようとする課題】
【０００４】
ところで、設備機器等の設置物に設けられるプレート状の脚部（脚部プレート）は、床面等の基台に対して接着剤（例えば、接着性を有するコーキング材）を利用して接合される場合がある。脚部プレートの周縁から接着剤がはみ出した場合、接着剤が視認され易くなることで、脚部の外観が損なわれるおそれがある。
【０００５】
本発明は、こうした実情に鑑みてなされたものであり、その目的は、脚部構造の外観を良好にすることのできるカバー部材、脚部材、及び脚部構造を提供することにある。
【課題を解決するための手段】
【０００６】
上記課題を解決するカバー部材は、基台上の設置物に接続される脚部プレートに取り付けられるカバー部材であって、前記脚部プレートの側面を覆う本体部と、前記本体部に設けられ、前記脚部プレートの下面よりも下方に突出する突出部と、前記脚部プレートに取り付けるための取付部と、を有し、前記本体部は、前記脚部プレートの側面と対向する位置で離間する離間壁部を備え、前記脚部プレートの側面と前記離間壁部との間の間隙は、前記脚部プレートの下面側に開口し、前記脚部プレートと前記基台とを接着する接着剤を前記間隙に配置して用いられる。
【０００７】
この構成によれば、カバー部材は、取付部によって脚部プレートに直接取り付けられているため、脚部プレートに対するカバー部材の位置ずれが抑制される。これにより、カバー部材の離間壁部と脚部プレートとの間の間隙の寸法が安定し易い。このような間隙は、過剰量の接着剤を収容する収容部分となるため、カバー部材から接着剤のはみ出しを好適に抑えることができる。
【０００８】
上記カバー部材において、前記突出部は、前記基台に接触する下端を有することが好ましい。
この構成によれば、接着剤のはみ出しをさらに抑えることができる。
【０００９】
上記カバー部材において、前記取付部は、前記本体部に設けられ、前記脚部プレートの上面に取り付けられる上面取付部と、前記突出部の一部であるとともに前記脚部プレートの下面に取り付けられる下面取付部と、前記本体部の一部であるとともに前記脚部プレートの側面に取り付けられる側面取付部と、を有することが好ましい。
【００１０】
この構成によれば、脚部プレートの上下方向に沿ったカバー部材の位置ずれは、上面取付部と下面取付部とによって抑えられる。また、脚部プレートの左右方向に沿ったカバー部材の位置ずれは、側面取付部により抑えられる。これにより、脚部プレートに対する突出部の位置や間隙の寸法が安定する。
【００１１】
上記課題を解決する脚部材は、上記カバー部材と、前記カバー部材が取り付けられる前記脚部プレートと、を備える。
上記課題を解決する脚部構造は、上記カバー部材と、前記脚部プレートと、前記接着剤と、を備え、前記接着剤が前記間隙に配置された構造を有する。
【００１２】
上記脚部構造において、前記脚部プレートの下面に重なるように配置され、前記脚部プレートの中央側への接着剤の流動を抑える壁部材をさらに備えることが好ましい。
この構成によれば、例えば、脚部構造において、接着剤の位置のばらつきが抑えられることで、設置物の転倒抑制効果を安定して発揮させることができる。
【００１３】
上記脚部構造において、前記脚部プレートの下面に重なるように配置される緩衝部材をさらに備えることが好ましい。
この構成によれば、基台から脚部プレートに伝わる振動や衝撃を緩和することができる。
【００１４】
上記脚部構造において、前記緩衝部材は、自己粘着性を有するゲル状材料から構成されることが好ましい。
【発明の効果】
【００１５】
本発明によれば、脚部構造の外観を良好にすることができる。
【図面の簡単な説明】
【００１６】
【図１】実施形態の脚部材の使用状態を示す正面図である。
【図２】脚部材と接続部材とを示す分解斜視図である。
【図３】カバー部材を示す斜視図である。
【図４】脚部材を示す斜視図である。
【図５】脚部材の使用状態（脚部構造）を示す断面図である。
【発明を実施するための形態】
【００１７】
以下、カバー部材、脚部材、及び脚部構造の実施形態について図面を参照して説明する。
図１に示すように、脚部材１１は、例えば床等の基台７１上に設置される設置物７２の転倒を抑制するために基台７１と設置物７２との間に配置される。脚部材１１は、接続部材７３により設置物７２に接続される。
【００１８】
図２に示すように、脚部材１１は、設置物７２に接続部材７３によって接続される脚部プレート１２と、脚部プレート１２に取り付けられるカバー部材１３とを備えている。本実施形態の脚部材１１は、脚部プレート１２の下面に重なるように配置される壁部材１４と緩衝部材１５とをさらに備えている。
【００１９】
カバー部材１３及び脚部材１１の上下方向は、脚部材１１を基台７１に設置する際の上下方向を示し、図３及び図４は、カバー部材１３（脚部材１１）を下方から見た状態を示している。
【００２０】
＜脚部プレート１２＞
図２に示すように、脚部プレート１２は、接続部材７３が固定される固定部１２ａを有している。接続部材７３がボルトの場合、固定部１２ａは、ボルトが螺入されるねじ穴から構成される。なお、接続部材７３は、軸状部材や板状部材であってもよく、固定部１２ａに対する接続部材７３の接続は、溶接等であってもよい。脚部プレート１２は、金属材料から構成することが好ましく、ステンレス鋼から構成されることが好ましい。
【００２１】
＜カバー部材１３＞
図３及び図５に示すように、カバー部材１３は、脚部プレート１２の側面１２ｂを覆う本体部２１と、本体部２１に設けられ、脚部プレート１２の下面よりも下方に突出する突出部３１を有している。カバー部材１３は、脚部プレート１２に取り付けるための取付部４１をさらに有している。本体部２１は、脚部プレート１２の側面１２ｂに対向する位置で離間する離間壁部２１ａを有している。突出部３１は、基台７１に接触する下端を有している。
【００２２】
図５に示すように、脚部プレート１２の側面１２ｂと、本体部２１の有する離間壁部２１ａとの間の間隙Ｇは、脚部プレート１２の下面側（下方）に開口している。ここで、カバー部材１３を備える脚部材１１を用いて脚部構造を形成する際には、接着剤が用いられる。こうした脚部構造の形成において、カバー部材１３は、脚部プレート１２と基台７１とを接着する接着剤１６を間隙Ｇに配置して用いられる。
【００２３】
図３及び図４に示すように、取付部４１は、本体部２１に設けられ、脚部プレート１２の上面に取り付けられる上面取付部４２と、本体部２１の一部であるとともに脚部プレート１２の側面１２ｂに取り付けられる側面取付部４３とを有している。取付部４１は、突出部３１の一部であるとともに脚部プレート１２の下面に取り付けられる下面取付部４４をさらに有している。
【００２４】
本実施形態の上面取付部４２は、接続部材７３が挿通される貫通孔１３ａを有している。本実施形態の側面取付部４３は、脚部プレート１２の側面１２ｂの上側部分を脚部プレート１２の周方向にわたって支持する環状壁４３ａと、環状壁４３ａの下端から下方に延在する凸部４３ｂとを有している。凸部４３ｂは、離間壁部２１ａからカバー部材１３の中央側（内側）に向けて突出している。凸部４３ｂは、脚部プレート１２の周方向において部分的に配置される複数から構成されている。
【００２５】
本実施形態の下面取付部４４は、凸部４３ｂの下端に隣接するとともに凸部４３ｂ（側面取付部４３）よりもカバー部材１３の中央側に向かって突出する突起状に形成されている。下面取付部４４は、脚部プレート１２の周方向において部分的に配置される複数から構成されている。
【００２６】
カバー部材１３は、高分子材料から構成することが好ましく、シリコーンゴム材料から構成することがより好ましい。
＜壁部材１４＞
壁部材１４は、脚部プレート１２の下面に重なるように配置され、脚部プレート１２の中央側への接着剤１６の流動を抑える。本実施形態の壁部材１４の形状は、無端環状であり、平面視で円環状である。壁部材１４は、樹脂系材料、ゴム系材料、又は金属系材料から構成することができる。壁部材１４は、ゴム系材料から構成されることが好ましい。ゴム系材料としては、ブチル系加硫ゴム材料が好適に用いられる。
【００２７】
＜緩衝部材１５＞
緩衝部材１５は、基台７１から脚部プレート１２に伝わる振動や衝撃を緩和するために設けられる。緩衝部材１５の形状は、全体として板状であり、平面視で円形状である。本実施形態の緩衝部材１５は、壁部材１４によって囲まれているため、緩衝部材１５に対する接着剤１６の接触が壁部材１４によって抑制される。緩衝部材１５は、非粘着性を有していてもよいし、自己粘着性を有していてもよい。緩衝部材１５は、粘弾性を有する高分子材料から構成することができる。緩衝部材１５は、自己粘着性を有するゲル状材料から構成することが好ましい。
【００２８】
ゲル状材料は、各種高分子材料（有機高分子材料）から構成することが可能であるが、耐久性等の観点から、ポリウレタンゲルが好ましい。ポリウレタンゲルは、ポリオール成分とイソシアネート成分とを含有するウレタン原料から得られる。ポリオール成分としては、例えば、ポリプロピレングリコール、ポリエチレングリコール、ポリテトラメチレンエーテルグリコール等のポリエーテルポリオール、多価アルコールとポリカルボン酸とのヒドロキシル末端反応生成物であるポリエステルポリオール、及びポリカーボネートジオール類が挙げられる。イソシアネート成分としては、例えば、ジフェニルメタンジイソシアネート、トリレンジイソシアネート、ヘキサメチレンジイソシアネート等のジイソシアネートモノマー、及びそれらのプレポリマーが挙げられる。
【００２９】
ポリオール成分及びイソシアネート成分は、それぞれ単独種を用いてもよいし、ポリオール成分及びイソシアネート成分の少なくとも一方について複数種を用いてもよい。
ウレタン原料には、必要に応じて、可塑剤、触媒、耐候安定剤等の添加剤を含有させることもできる。可塑剤は、硬度を調整するために用いることができる。可塑剤としては、例えば、フタル酸エステル（フタル酸ジイソデシル（ＤＩＤＰ）、フタル酸ジイソノニル（ＤＩＮＰ）等）、安息香酸エステル、及び脂肪酸エステルが挙げられる。触媒としては、例えば、アミン系触媒、及び有機金属系触媒が挙げられる。触媒としては、ウレタン化反応による樹脂化を促進するという観点から有機金属系触媒が好ましい。耐候安定剤は、ゲル状材料の熱、光、又は水による劣化を抑制するために用いることができる。耐候安定剤としては、例えば、酸化防止剤（フェノール系、ホスファイト系、チオエーテル系等）、紫外線吸収剤（ベンゾフェノン系、ベンゾトリアゾール系、トリアジン系等）、光安定剤（ヒンダードアミン系等）、及び加水分解防止剤（カルボジイミド系等）が挙げられる。
【００３０】
本実施形態の緩衝部材１５は、壁部材１４によって囲まれているため、緩衝部材１５に対する接着剤１６の接触が壁部材１４によって抑制される。
＜施工方法＞
次に、脚部構造の施工方法を主な作用とともに説明する。
【００３１】
上記のように構成された脚部材１１は、例えば、脚部プレート１２にカバー部材１３を取り付けた後、脚部プレート１２に重ね合わせるように、壁部材１４及び緩衝部材１５を配置することで得られる。なお、脚部プレート１２にカバー部材１３を取り付ける際には、カバー部材１３を弾性変形させながら上面取付部４２と下面取付部４４との間に脚部プレート１２を挟み込むように配置すればよい。
【００３２】
壁部材１４と接着剤１６とを用いて脚部構造を形成するには、図４に示すように、まず、脚部プレート１２に接着剤１６を塗布する。このとき、カバー部材１３の突出部３１は、接着剤１６を保持する保持部として機能する。また、本実施形態のように壁部材１４を配置することで、脚部プレート１２の中央側への接着剤１６の流動を抑えることができる。なお、接着剤１６としては、常温硬化型の接着剤であることが好ましく、変性シリコーン系の接着剤（シリコーン系の弾性材料）を好適に用いることができる。
【００３３】
次に、脚部プレート１２と設置物７２とを接続部材７３により接続した後、設置物７２を基台７１上の所定の位置に配置する。これにより、図５に示すように、脚部プレート１２の下面と、基台７１とが接着剤１６で接着された脚部構造が形成される。
【００３４】
ここで、カバー部材１３は、取付部４１によって脚部プレート１２に直接取り付けられているため、脚部プレート１２に対するカバー部材１３の位置ずれが抑制される。これにより、カバー部材１３の離間壁部２１ａと脚部プレート１２との間の間隙Ｇの寸法が安定し易い。このような間隙Ｇは、過剰量の接着剤１６を収容する収容部分となるため、カバー部材１３から接着剤１６のはみ出しを好適に抑えることができる。
【００３５】
本実施形態の作用及び効果について説明する。
（１）カバー部材１３は、基台７１上の設置物７２に接続される脚部プレート１２に取り付けられる。カバー部材１３は、脚部プレート１２の側面１２ｂを覆う本体部２１と、本体部２１に設けられ、脚部プレート１２の下面よりも下方に突出する突出部３１とを有している。カバー部材１３は、脚部プレート１２に取り付けるための取付部４１をさらに有している。本体部２１は、脚部プレート１２の側面１２ｂと対向する位置で離間する離間壁部２１ａを備えている。脚部プレート１２の側面１２ｂと離間壁部２１ａとの間の間隙Ｇは、脚部プレート１２の下面側に開口している。カバー部材１３は、脚部プレート１２と基台７１とを接着する接着剤１６を間隙Ｇに配置して用いられる。
【００３６】
この構成によれば、上述したようにカバー部材１３から接着剤１６のはみ出しを好適に抑えることができるため、脚部構造の外観を良好にすることができる。
（２）カバー部材１３の突出部３１は、基台７１に接触する下端を有している。この場合、接着剤１６のはみ出しをさらに抑えることができるため、脚部構造の外観をさらに良好にすることができる。
【００３７】
（３）カバー部材１３の取付部４１は、本体部２１に設けられ、脚部プレート１２の上面に取り付けられる上面取付部４２と、本体部２１の一部であるとともに脚部プレート１２の側面１２ｂに取り付けられる側面取付部４３とを有している。取付部４１は、突出部３１の一部であるとともに脚部プレート１２の下面に取り付けられる下面取付部４４をさらに有している。
【００３８】
この場合、脚部プレート１２の上下方向に沿ったカバー部材１３の位置ずれは、上面取付部４２と下面取付部４４とによって抑えられる。また、脚部プレート１２の左右方向に沿ったカバー部材１３の位置ずれは、側面取付部４３により抑えられる。これにより、脚部プレート１２に対する突出部３１の位置や間隙Ｇの寸法が安定する。このため、過剰量の接着剤１６を収容する収容部分としての間隙Ｇがより有効に機能することで、脚部構造の外観をさらに良好にすることが可能となる。
【００３９】
（４）脚部材１１（脚部構造）は、脚部プレート１２の下面に重なるように配置され、脚部プレート１２の中央側への接着剤１６の流動を抑える壁部材１４をさらに備えている。この場合、脚部構造においては、接着剤１６の位置のばらつきが抑えられることで、設置物７２の転倒抑制効果を安定して発揮させることができる。
【００４０】
また、脚部材１１に接着剤１６を塗布する際には、壁部材１４（突出部３１）とカバー部材１３との間の領域が接着剤１６を塗布する領域として規定されるため、適正量の接着剤１６を塗布し易くなる。従って、脚部材１１を用いて脚部構造を施工する際の作業性を改善することが可能となる。
【００４１】
（５）脚部材１１（脚部構造）は、脚部プレート１２の下面に重なるように配置される緩衝部材１５をさらに備えている。この場合、基台７１から脚部プレート１２に伝わる振動や衝撃を緩和することができる。
【００４２】
（変更例）
上記実施形態を次のように変更して構成してもよい。本実施形態及び以下の変更例は、技術的に矛盾しない範囲で互いに組み合わせて実施することができる。
【００４３】
・壁部材１４のみを省略してもよい。緩衝部材１５のみを省略してもよい。壁部材１４及び緩衝部材１５の両方を省略してもよい。
・上記壁部材１４の形状は、無端環状であるが、有端環状の壁部材に変更することもできる。
【００４４】
・カバー部材１３は、脚部プレート１２に対して、嵌合、係止、粘着等の物理的手段によって取り付けてもよいし、接着（接着剤１６の利用）等の化学的手段によって取り付けてもよい。また、物理的手段と化学的手段とを併用してもよい。
【００４５】
・カバー部材１３の取付部４１は、側面取付部４３、上面取付部４２、及び下面取付部４４から選ばれる少なくとも一種の取付部から構成することができる。脚部プレート１２に対して側面取付部４３のみによってカバー部材１３を取り付ける場合、側面取付部４３を脚部プレート１２の側面１２ｂに対して嵌合させる構成、係止させる構成、接着剤１６を用いて接着させる構成等を採用すればよい。脚部プレート１２に対して上面取付部４２のみによってカバー部材１３を取り付ける場合、上面取付部４２を脚部プレート１２の上面に係止させる構成、接着剤１６を用いて接着させる構成等を採用すればよい。脚部プレート１２に対して下面取付部４４のみによってカバー部材１３を取り付ける場合、下面取付部４４を脚部プレート１２の下面に接着剤１６を用いて接着させる構成等を採用すればよい。
【００４６】
・カバー部材１３の離間壁部２１ａは、カバー部材１３の周方向において部分的に設けられているが、例えば、凸部４３ｂ及び下面取付部４４を省略するとともに、離間壁部２１ａをカバー部材１３（本体部２１）の全周にわたって設けることもできる。
【００４７】
・カバー部材１３の側面取付部４３は、環状壁４３ａと凸部４３ｂとを有しているが、側面取付部４３を環状壁４３ａのみから構成してもよいし、凸部４３ｂのみから構成してもよい。
【００４８】
・カバー部材１３の凸部４３ｂ及び下面取付部４４の数は、適宜変更することができる。但し、凸部４３ｂ及び下面取付部４４の数は、複数であることが好ましく、３つ以上であることがより好ましい。
【００４９】
・カバー部材１３の突出部３１は、基台７１に接触する下端を有しているが、基台７１に接触しない下端をさらに有していてもよい。すなわち、カバー部材１３の突出部３１は、基台７１に接触する第１の下端と、基台７１に接触しない第２の下端とを有していてもよい。例えば、カバー部材１３の突出部３１のうち、接着剤１６が視認され易い部分のみを基台７１に接触するように構成することもできる。
【００５０】
・カバー部材１３の突出部３１は、脚部プレート１２の外縁に沿った周方向の全周にわたって設けられているが、突出部３１を周方向において部分的に設けることもできる。すなわち、接着剤１６が視認され易い部分のみ突出部を有するカバー部材に変更してもよい。
【００５１】
・カバー部材１３の突出部３１における下端は、基台７１に接触しない下端のみから構成することもできる。
・カバー部材１３の外形、脚部プレート１２の外形、壁部材１４の外形、緩衝部材１５の外形は、円形状に限定されず、例えば、四角形状や多角形状等の形状に変更することもできる。
【００５２】
・床に固定された設置用台を基台として設置物７２を設置してもよい。
上記実施形態及び変更例から把握できる技術的思想について以下に記載する。
（イ）前記カバー部材は、前記取付部として、前記本体部に設けられ、前記脚部プレートの上面に取り付けられる上面取付部と、前記本体部の一部であるとともに前記脚部プレートの側面に取り付けられる側面取付部と、前記突出部の一部であるとともに前記脚部プレートの下面に取り付けられる下面取付部と、から選ばれる少なくとも一種を有するカバー部材。
【００５３】
（ロ）上記脚部材を用いて脚部構造を施工する施工方法であって、前記カバー部材と前記脚部プレートに接触するように前記脚部プレートの下面側に接着剤を塗布する工程と、前記接着剤が塗布された脚部材を基台上に配置する工程と、を備える脚部構造の施工方法。
【符号の説明】
【００５４】
１１…脚部材、１２…脚部プレート、１２ａ…固定部、１２ｂ…側面、１３…カバー部材、１３ａ…貫通孔、１４…壁部材、１５…緩衝部材、１６…接着剤、２１…本体部、２１ａ…離間壁部、３１…突出部、４１…取付部、４２…上面取付部、４３…側面取付部、４３ａ…環状壁、４３ｂ…凸部、４４…下面取付部、７１…基台、７２…設置物、７３…接続部材、Ｇ…間隙。
【図１】
2019148329.tif 000003
【図２】
2019148329.tif 000004
【図３】
2019148329.tif 000005
【図４】
2019148329.tif 000006
【図５】
2019148329.tif 000007